(57)【要約】【課題】表示画面の傾きを、水平面を基準に一定に保つように表示画面を有する表示部の回動を制御することで、ユーザが電子機器を保持する体の一部を動かすたびに表示画面の傾きを調整せずに済み、視認性及び操作性を改善することができる電子機器を提供する。【解決手段】表示画面を有する表示部２の連結部２２ｂ内に表示部２の水平面からの傾きを検知する機構及び表示部２を本体１に対して回動させる機構を設け、表示部２の水平面からの傾きが設定された傾きに保たれるように制御する。例えば、ユーザが表示画面の傾きを調整したときに検知室３１内に配された金属球３２によって短絡した接点５０２，５０３が常に短絡される傾きを保持するようにローラ４１での表示部２の回動を制御する。【選択図】図８
2007317129.tif 000002
【特許請求の範囲】
【請求項１】
画像を表示する表示画面を有する表示部と、該表示部を回動可能に軸支する支持部とを備える電子機器において、
前記表示部を回動させる駆動手段と、
該駆動手段による回動を制御する制御手段と、
前記表示画面の水平面からの傾きを検知する検知手段とを備え、
前記制御手段は、
前記検知手段の検知結果に基づいて前記駆動手段による前記表示部の回動を制御するようにしてあること
を特徴とする電子機器。
【請求項２】
前記表示部は、
前記支持部と連結する連結部を備え、
前記検知手段は、
前記連結部に設けてあること
を特徴とする請求項１に記載の電子機器。
【請求項３】
前記表示部の水平面からの傾きの設定を受け付ける手段を備え、
前記制御手段は、
前記表示画面の水平面からの傾きが設定された傾きとなるように前記表示部の回動を制御するようにしてあること
を特徴とする請求項１又は２に記載の電子機器。
【請求項４】
前記検知手段は、
前記表示部の回動軸と同軸に配置された環状管と、
該環状管内部に配された複数の接点と、
前記環状管内部を自由に移動し、前記複数の接点のうち何れか隣接する二つに表面が接する大きさを有する導電性の金属球体と、
前記複数の接点のうち、前記金属球体に接することにより短絡する接点を検出する手段と
を備えることを特徴とする請求項１乃至３の何れか一つに記載の電子機器。
【請求項５】
前記制御手段は、
前記駆動手段による前記表示部の回動を禁止する手段
を備えることを特徴とする請求項１乃至４の何れか一つに記載の電子機器。
【発明の詳細な説明】
【技術分野】
【０００１】
本発明は、画像を表示する表示画面を有する電子機器に関し、特に、表示画面を備える表示部の傾きが自動的に調整される電子機器に関する。
【背景技術】
【０００２】
部品の軽量小型化及び表示装置の薄型化等の技術の進歩により、特定の場所に設置せずに、ユーザが持ち歩いて自由な場所で使用することが可能な可搬型の電子機器が種々普及している。例えば、ノート型ＰＣ（Ｐｅｒｓｏｎａｌ  Ｃｏｍｐｕｔｅｒ）、携帯電話機、ＰＤＡ（Ｐｅｒｓｏｎａｌ  Ｄｉｇｉｔａｌ  Ａｓｓｉｓｔａｎｔ）端末装置、携帯型ＤＶＤプレーヤー、ＨＤＤ（Ｈａｒｄ  Ｄｉｓｋ  Ｄｒｉｖｅ）型若しくはフラッシュメモリ型の携帯デジタル映像プレーヤー、電子辞書、ゲーム機器、又は可搬型測定器等である。このような可搬型の電子機器は、画像を表示する表示画面を有する表示部を回動可能に支持し、表示部は、キーボード又はポインティングデバイス等である操作部の蓋部を兼ねる構成となっている場合が多い。
【０００３】
このような電子機器を使用する際、ユーザは、表示画面を視認し易いように使用の都度、表示部を手動で回動させて調整する。
【０００４】
そこで、表示画面を有する表示部を回動可能に軸支する電子機器について、表示画面の視認性及び操作性を向上するための技術が種々提案されている。特許文献１に記載された発明では、表示部を支持する支持部を基準とした表示部の角度をユーザが設定することが可能であり、電源投入時に表示部が設定した角度をなすように自動的に表示部を回動駆動させることができる。特許文献２に記載された発明では、表示部を支持する支持部を基準とした表示部の角度を検知し、検知した角度に応じて表示画面のバックライトの輝度又はコントラストを自動的に調整することができる。
【０００５】
また、画像を表示する表示装置について、ユーザの位置をカメラ又は体温検知機等で検出する手段を備え、ユーザがいる方向に表示画面が向くように表示画面の角度を自動的に調整する技術が開示されている（特許文献３、４、５参照）。
【特許文献１】特開平２−２２６３１７号公報
【特許文献２】特開平４−０９５９２２号公報
【特許文献３】特開平９−１３０７６８号公報
【特許文献４】特開２０００−１７５１２９号公報
【特許文献５】特表２００４−５１９７２１号公報
【発明の開示】
【発明が解決しようとする課題】
【０００６】
軽量小型化が進んだ可搬型の電子機器を使用するユーザは、立った姿勢若しくは歩行中に電子機器を手で保持して使用する場合、又は座った姿勢で電子機器を膝上に載せて使用する場合等自由な姿勢で電子機器を使用する。そのため、電子機器は机等の固定された安定な場所に設置されて使用されるとは限らず、例えば膝上で電子機器を使用する場合、ユーザが電子機器を保持する膝を組み替える又は膝を伸ばす等の姿勢を変える都度、表示部を支持する支持部自体が動いて表示画面の傾きが変化する。従って、ユーザは電子機器を保持する体の一部を動かす都度に表示部を手動で回動させて視認し易いように調整するため、操作が煩雑になる。
【０００７】
特許文献１では、表示部を支持する支持部は安定な場所に設置されることを前提として、電源投入時に支持部と表示部との角度をユーザが設定した一定の角度に保つように自動的に調整するため、支持部自体が安定した場所に設置されない場合については考慮されていない。不安定に保持されることが想定される可搬型の小型電子機器では、表示部を支持する支持部自体が安定した場所に設置されないために、支持部を基準にして表示部の傾きを判断するのでは結局、表示部が有する表示画面の傾きが適した角度となるようにユーザが調整することとなり、操作性を改善させることはできない。
【０００８】
また、特許文献２から５で開示された技術のうち何れの場合も、表示部を支持する支持部は安定した場所に設置されることが前提とされており、不安定に保持されることが想定される可搬型の小型電子機器に備えられた表示画面の傾きの調整については考慮されていない。
【０００９】
本発明は斯かる事情を鑑みてなされたものであり、表示画面を有する表示部を支持する支持部自体が不安定に保持されて支持部を基準にすることができない場合であっても、表示部の傾きを水平面から一定の傾きに保つことで、ユーザが電子機器を保持する膝又は手等を動かすたびに表示画面の傾きを調整せずに済み、視認性及び操作性を改善させることができる電子機器を提供することを目的とする。
【００１０】
また、本発明の他の目的は、表示部の水平面からの傾きを検知する検知手段を、表示部の支持部との連結部に設け、連結部の形状を利用した機構とすることにより、電子機器の美観を損なわずに表示部が有する表示画面の視認性及び操作性を改善させることができる電子機器を提供することを目的とする。
【００１１】
また、本発明の他の目的は、表示部の水平面からの傾きの設定が可能な構成とすることにより、一定に保たれる表示画面の傾きを、ユーザが設定することが可能な電子機器を提供することにある。
【００１２】
また、本発明の他の目的は、表示部の自動での回動駆動を禁止する構成とすることにより、禁止している間はユーザが手動で表示画面の水平からの傾きを調整することが可能な電子機器を提供することにある。
【課題を解決するための手段】
【００１３】
本発明に係る電子機器は、画像を表示する表示画面を有する表示部と、該表示部を回動可能に軸支する支持部とを備える電子機器において、前記表示部を回動させる駆動手段と、該駆動手段による回動を制御する制御手段と、前記表示画面の水平面からの傾きを検知する検知手段とを備え、前記制御手段は、前記検知手段の検知結果に基づいて前記駆動手段による前記表示部の回動を制御するようにしてあることを特徴とする。
【００１４】
これにより、表示部は、表示画面の水平面からの傾きに基づいて支持部を軸に自動的に回動される。
【００１５】
本発明に係る電子機器は、前記表示部は、前記支持部と連結する連結部を備え、前記検知手段は、前記連結部に設けてあることを特徴とする。
【００１６】
これにより、支持部に連結する連結部の形状を利用して表示部の水平面からの傾きを検知することが可能となる。
【００１７】
本発明に係る電子機器は、前記表示部の水平面からの傾きの設定を受け付ける手段を備え、前記制御手段は、前記表示画面の水平面からの傾きが設定された傾きとなるように前記表示部の回動を制御するようにしてあることを特徴とする。
【００１８】
これにより、表示部は、表示画面の水平からの傾きが設定された傾きを保つように回動される。
【００１９】
本発明に係る電子機器は、前記検知手段は、前記表示部の回動軸と同軸に配置された環状管と、該環状管内部に配された複数の接点と、前記環状管内部を自由に移動し、前記複数の接点のうち何れか隣接する二つに表面が接する大きさを有する導電性の金属球体と、前記複数の接点のうち、前記金属球体に接することにより短絡する接点を検出する手段とを備えることを特徴とする。
【００２０】
これにより、表示部の回動に伴い回転する環状管内で、金属球体は環状管の最下部に該当する箇所に自重により常に移動するため、環状管の内面に配された複数の接点のうち、金属球体の表面によって短絡した接点を検出し、該接点の環状管内での位置から表示部が有する表示画面の傾きが検知される。
【００２１】
本発明に係る電子機器は、前記制御手段は、前記駆動手段による前記表示部の回動を禁止する手段を備えることを特徴とする。
【００２２】
これにより、表示部の自動での駆動が禁止された場合は、表示部は自動的に回動されない。
【発明の効果】
【００２３】
本発明による場合は、電子機器がユーザの膝の上で使用される場合又は手で保持されて使用される場合等で、ユーザが電子機器を保持する膝又は手等を動かしたときであっても、水平面からの傾きの検知結果に基づいて表示画面を有する表示部の回動が自動的に制御され、傾きが保たれる。従って、電子機器を保持する体の一部を動かす都度に表示部の傾きを調整する必要がなく操作性を改善することができる。また、ユーザが視線は動かさずに電子機器を保持している膝又は手等を動かした場合、表示部は支持部ではなく水平面を基準として傾きが制御されるためにユーザの視線に適した傾きに保たれ、視認性が改善される。
【００２４】
本発明による場合は、表示部が支持部と連結する連結部の形状を利用した機構によって表示部の水平面からの傾きを検知することができ、電子機器の美観を損なわずに表示画面の視認性及び操作性を改善することができる。
【００２５】
本発明による場合は、表示部の水平面からの傾きをユーザが自己に適した角度に設定することが可能であり、ユーザが視線を動かさず電子機器を保持する膝又は手等を動かした場合であっても、ユーザの視線に対する表示画面の傾きをユーザが設定した傾きに保つことができる。
【００２６】
本発明による場合は、表示部の水平面からの傾きを検知することができ、表示部の傾きを検知しつつ表示部の回動を制御することにより、表示部が有する表示画面の水平面からの傾きを一定に保つことができる。
【００２７】
本発明による場合は、表示部が自動的に回動することを禁止することができ、ユーザは手動で表示部の傾きを調整することができる。
【発明を実施するための最良の形態】
【００２８】
以下本発明に係る電子機器を液晶表示画面を備えるノート型のＰＣを例とした実施の形態について、図面に基づき具体的に説明する。
【００２９】
図１は、本実施の形態におけるＰＣの構成を示す前方斜視図であり、図２は、本実施の形態におけるＰＣの本体１と表示部２との連結部分について拡大した拡大前方斜視図である。本実施の形態におけるＰＣは、内部に図示しないマザーボード及びＨＤＤ等を備える本体１と、液晶表示装置を備える表示部２とで構成される。
【００３０】
本体１は、扁平な略直方体をなす筐体であり、内部にＣＰＵ、メモリ及びビデオカード等を有するマザーボードと、記憶媒体であるＨＤＤと、記録媒体の読み込み又は書き込みを行うドライブ装置等とを備える。本体１の上面には、電源スイッチ１１１、キーボード１１２、及びポインティングデバイス１１３等を有する操作部１１が備えられている。
【００３１】
表示部２は、扁平な略直方体をなす筐体であり、内部に液晶パネル２１、図示しないバックライト及び図示しない液晶駆動回路等を有する液晶表示装置を備える。
【００３２】
本体１からは、表示部２を軸支するための略円筒形の支持部１２が、本体１の筐体の一側面であって、操作部１１の奥側の側面に一体的に設けられている。支持部１２の略円筒形の中心軸は本体１の筐体の長辺と略平行である。支持部１２の長さは本体１の長辺より短く、本体１の奥側の側面１３ａ，１３ｂが両端で露出している。また、支持部１２は両端に開口部１２１ａ，１２１ｂを有し、該開口部１２１ａ，１２１ｂは支持部１２の中空の内部を介して本体１の筐体内部と連通している。尚、側面１３ａ及び開口部１２１ａは夫々側面１３ｂ及び開口部１２１ｂと、支持部１２に対して対称な位置に備えられており、図示を省略する。
【００３３】
表示部２の長辺である下端の一辺には、本体１の支持部１２の両端の開口部１２１ａ，１２１ｂと接続し本体１と連結するための連結部２２ａ，２２ｂが突出して設けられている。該連結部２２ａ，２２ｂは略有底円筒形をなし、その中心軸は連結部２２ａ，２２ｂが設けられている表示部２の長辺と略平行であり、外径は本体１の支持部１２の外径と略等しい。連結部２２ａ，２２ｂは、夫々の底部が表示部２の両端の外側を向くように設けられている。連結部２２ａ，２２ｂの夫々の開口部からは、連結部２２ａ，２２ｂの外径より小さく、本体１の支持部１２の内径と略等しい外径を有する略円筒形をなす回動軸２２１ａ，２２１ｂが連結されている。回動軸２２１ａ，２２１ｂは開口部２２２ａ，２２２ｂを有しており、該開口部２２２ａ，２２２ｂは回動軸２２１ａ，２２１ｂ及び連結部２２ａ，２２ｂの中空の内部を介して表示部２の筐体内部と連通している。尚、回動軸２２１ａ及び開口部２２２ａは、図示している連結部２２ｂと対称になるように、連結部２２ａに備えられており、図示を省略する。
【００３４】
表示部２は、連結部２２ａ，２２ｂが回動軸２２１ａ，２２１ｂを本体１の支持部１２の開口部１２１ａ，１２１ｂに挿入することで本体１に連結される。表示部２は、手動で回動することができるよう軽く固定され、ユーザは表示部２と本体１との角度を調整することが可能である。また、表示部２が有する液晶表示装置を駆動するための配線がプリントされたフレキシブル基板が、表示部２の筐体内部から連結部２２ａ，２２ｂの内部、開口部２２２ａ，２２２ｂ、及び本体１の開口部１２１ａ，１２１ｂを介して本体１の内部に連通された空間を通り、本体１の筐体内部に備えられている液晶駆動回路及びビデオカード等に接続されている。
【００３５】
次に、本発明に係るＰＣにおいて、表示部２の水平面からの傾きを検知し、表示部２の回動を制御する機構について説明する。図３は、本実施の形態におけるＰＣの表示部２の傾きを検知し、回動を制御する機構の構成を示す略示上面断面図である。また、図４は、本実施の形態におけるＰＣの表示部２の傾きを検知し、回動を制御する機構の構成を示す略示側面断面図である。本実施の形態におけるＰＣは、表示部２の傾きを検知する検知部３と、表示部２を回動させるゴム製のローラ４１と、ローラ４１を回転させるモータ４２と、モータ４２の回転を制御するマイコン４３と、設定スイッチ４４とを備える。
【００３６】
検知部３は、表示部２の連結部２２ａ，２２ｂのうち片側一方の連結部２２ｂ内部に備えられており、検知室３１と、接点５００，５０１，…，５２３と、リード線６００，６０１，…，６２３と、金属球３２とで構成される。検知室３１は、連結部２２ｂと同軸である環状管からなり、環の外径は連結部２２ｂの内径と略等しく、連結部２２ｂの内部に固定されている。検知室３１の内壁は絶縁体で構成されており、接点５００，５０１，…，５２３が、検知室３１の外径側の内壁を周方向に等分割するように間隔を開けて設けられている。また、接点５００，５０１，…，５２３には夫々対応するリード線６００，６０１，…，６２３が接続されている。
【００３７】
検知室３１の内部には、検知室３１の管の内径より小さい直径を有する導電性の金属球３２が納められており、金属球３２は、検知室３１内を自重により自由に移動する。接点５００，５０１，…，５２３の検知室３１の内壁からの突出量及び接点５００，５０１，…，５２３が設けられる間隔は、金属球３２の表面が、隣接した二つの接点のみと接するように設定されている。接点５００，５０１，…，５２３は夫々検知室３１での位置によって識別されており、表示部２を鉛直方向に平行にした場合に、金属球３２が自重によって最下部に位置して金属球３２の表面が接する接点５００及び接点５０１を基準としている。接点５００，５０１，…，５２３は、基準となる接点５００及び接点５０１から、回動軸２２１ｂを中心に表示部２の下方から背面へ向かい表示部２の上部から手前に戻る順に５０２，５０３，５０４，…，５２２，５２３と区別され、夫々に対応するリード線が６００，６０１，…，６２３と区別されている。
【００３８】
図５は、表示部２を回動させるローラ４１を拡大して示す略示背面斜視図である。ローラ４１は、検知部３が備えられている連結部２２ｂと対応する側面１３ｂ近傍の本体１の内部に配されており、ローラ４１の回転軸は支持部１２の中心軸と平行である。ローラ４１の一部は、側面１３ｂに開けられた略長方形の開口部１３１から露出しており、表示部２が本体１に連結された状態では、ローラ４１の露出した表面が連結部２２ｂの外周に圧接される。モータ４２が回転することでローラ４１が回転し、ローラ４１が圧接された連結部２２ｂが回動軸２２１ｂを軸に回動することで、表示部２を本体１に対して回動させることが可能である。この場合、本体１の操作部１１を覆う状態から、本体１の操作部１１及び表示部２の液晶パネル２１を視認することができるように表示部２を回動させる方向を正方向とし、その逆を逆方向とし、モータ４２は何れの方向にも回転が可能である。なお、モータ４２の回転方向はマイコン４３によって制御が可能である。
【００３９】
また、モータ４２とローラ４１との間は図示しない減速歯車機構により接続されており、モータ４２の回転数に対してローラ４１の回転数は少ない。また、減速歯車機構は、ローラ４１との噛合せ部分がローラ４１と同様のゴム製のローラで構成されている。従って、ユーザが表示部２を手で回動させて本体１との角度を調整する際にローラ４１に外部から回転の力が加えられても、減速歯車機構のローラとローラ４１とが滑ることで、外部からの回転の力は減速歯車機構を介してモータ４２に伝動されることはなく、減速歯車機構及びモータ４２が破損することを防ぐことができる。
【００４０】
設定スイッチ４４は、本体１のキーボード１１２より奥に設けられたラッチ型のスイッチであり、マイコン４３に接続されている。マイコン４３では、設定スイッチ４４がユーザによる押下によってオン又はオフであることを検知することが可能である。設定スイッチ４４がオンである場合は、マイコン４３は設定スイッチ４４が押下されたときの表示部２の水平面からの傾きθH を設定された傾きθS として以下に示す表示部２の回動制御を行う。設定スイッチ４４がオフである場合は、モータ４２へ通電がされずマイコン４３は回動制御を行わないため、ユーザは、表示部２の水平面からの傾きθH を手動により調整することが可能である。
【００４１】
図６は、検知室３１の接点５００，５０１，…，５２３及び内部に納められた金属球３２を示す略示拡大断面図である。マイコン４３は、モータ４２及び設定スイッチ４４の他に、前記検知室３１に備えられた接点５００，５０１，…，５２３とリード線６００，６０１，…，６２３を介して接続されている。マイコン４３からは、接点５００，５０１，…，５２３のうち、一つおきの接点５００，５０２，…，５２２に所定の電圧がかけられており、他の接点５０１，５０３，…，５２３には、それより低い所定の電圧がかけられている。例えば接点５００及び接点５０１が金属球３２の表面と接して短絡した場合に、接点５００及び接点５０１に対応するリード線６００及びリード線６０１が通電することをマイコン４３で検知することにより、金属球３２の検知室３１での位置をマイコン４３で判別することが可能である。また、マイコン４３は、不揮発性の記憶領域である記憶部４３１を備えており、記憶部４３１には、接点５００，５０１，…，５２３のうち、表示部２の水平面からの傾きがユーザが設定した傾きθS であるときに短絡する二つが記憶されている。
【００４２】
次に、マイコン４３が、検知室３１の金属球３２の位置に基づいて表示部２の水平面に対する傾きを検知する処理について説明する。
【００４３】
図７は、本実施の形態におけるＰＣの検知部３及びローラ４１を示す略示側面断面図である。図７（ａ）は、表示部２が水平面に直交している場合を示す。表示部２の傾きθH が９０°である場合は、検知室３１内の金属球３２の表面は、接点５００及び接点５０１に接する。このときマイコン４３は、リード線６００及びリード線６０１の導通を検出することで接点５００及び接点５０１が短絡することを検知する。
【００４４】
図７（ｂ）は、表示部２が水平面から４５°傾斜している場合を示す。表示部２の傾きθH が４５°である場合は、検知室３１内の金属球３２の表面は、接点５０３及び接点５０４に接する。このときマイコン４３は、リード線６０３及びリード線６０４の導通を検出することで接点５０３及び接点５０４が短絡することを検知する。
【００４５】
マイコン４３では、接点５００，５０１，…，５２３のうち、ユーザが設定した傾きθS に対応する二つの接点と、短絡を検知した二つの接点との位置関係から、角度を調整するためにモータ４２を回転させる方向が設定されている。例えば、設定された傾きθS が４５°であって、記憶部４３１で記憶されている二つの接点が接点５０３及び接点５０４である場合に表示部２の傾きθH が６０°と変化し、接点５０２及び接点５０３の短絡を検知したときは、モータ４２を逆方向に回転駆動するように設定されている。一方、傾きθH が１０５°と変化し、接点５２３及び接点５００の短絡を検知したときは、モータ４２を正方向に回転駆動するように設定されている。
【００４６】
次に、ユーザが表示部２の傾きθH を自己の視線に適した傾きに調整し、設定スイッチ４４を押下してオンとした後、ユーザが姿勢を変えた場合の処理について説明する。図８は、本実施の形態におけるＰＣの検知部３及びローラ４１を示す略示側面断面図である。図８は、ユーザによって適した傾きに調整された後の状態を示す。
【００４７】
ユーザは、本実施の形態におけるＰＣを膝上に乗せ、表示部２を適した傾きに調整して設定スイッチ４４を押下する。そのとき傾きθS が６０°であった場合は、マイコン４３は、設定スイッチ４４の押下を検知した直後にリード線６０２及びリード線６０３を介して接点５０２及び接点５０３が金属球３２により短絡していることを検知し、記憶部４３１に接点５０２及び接点５０３を記憶する。
【００４８】
上述のように傾きが設定された状態からユーザが姿勢を変えることにより、ＰＣ自体が動かされた場合は、表示部２の水平面からの傾きθH も変化してユーザの視線に対する角度が変化する。図９は、本実施の形態におけるＰＣ１の検知部３及びローラ４１を示す略示側面断面図である。図９（a）は、ユーザが姿勢を変えたことにより表示部２の水平面からの傾きθH が変化した場合を示し、図９（ｂ）は、表示部２の水平面からの傾きθH が設定された傾きθS に調整された後を示す。
【００４９】
設定スイッチ４４を押下した際に水平面と平行であった本体１は、ユーザが足を組むことで、膝上で水平面から３０°傾斜し、表示部２の水平面からの傾きθH は９０°と変化する。この場合、マイコン４３は、検知室３１内で接点５００及び接点５０１が金属球３２により短絡していることをリード線６００及びリード線６０１を介して検知する。この場合、マイコン４３は、モータ４２を正方向に回転駆動させ、モータ４２の回転によりローラ４１が表示部２を回動させる。表示部２の回動により、金属球３２が自重によって検知室３１内を自由に移動して、記憶部４３１に記憶している接点５０２及び接点５０３を短絡させ、マイコン４３がこれを検知した場合は、マイコン４３はモータ４２の回転を停止させる。これにより、表示部２の傾きθH は、設定された傾きθS に調整される。
【００５０】
図１０は、本実施の形態におけるＰＣの検知部３及びローラ４１を示す略示側面断面図である。図１０（ａ）は、ユーザが更に姿勢を変えたことにより表示部２の傾斜角度が変化した場合を示し、図１０（ｂ）は、表示部２の傾きθH が設定された傾きθS に調整された後を示す。
【００５１】
ユーザが足を組むことで膝上で水平面から３０°傾斜していた本体１は、ユーザが足を伸ばすことで、膝上で水平面から−３０°傾斜し、表示部２の傾きθH は０°と水平面と平行となるように変化する。この場合、マイコン４３は、検知室３１内で接点５０６及び接点５０７が金属球３２により短絡していることをリード線６０６及びリード線６０７を介して検知する。マイコン４３は、モータ４２を逆方向に回転させ、モータ４２の回転ローラ４１が表示部２を回動させる。表示部２の回動により、金属球３２が自重によって検知室３１内を自由に移動して、記憶部４３１に記憶している接点５０２及び接点５０３を短絡させ、マイコン４３がこれを検知した場合、マイコン４３はモータ４２の回転を停止させる。これにより、表示部２の傾きθH は、設定された傾きθS に調整される。
【００５２】
尚、ユーザは、設定する傾きθS を変更したい場合、設定スイッチ４４をオフにする。設定スイッチ４４がオフの間は、表示部２の自動的な回動制御が禁止されるため、ユーザは手動により表示部２を回動させることができる。ユーザは、表示部２が自己の好みの傾きとなった状態で設定スイッチ４４を再度押下する。設定スイッチ４４が押下されたことをマイコン４３が再び検知し、検知直後に金属球３２によって短絡している二つの接点を記憶部４３１に記憶する。それ以降設定スイッチ４４がオンである間は、記憶部４３１で記憶した二つの接点が常に短絡するようにマイコン４３によって表示部２の回動が制御される。
【００５３】
図１１は、本実施の形態におけるマイコン４３が、表示部２の傾きを検知して表示部２の回動を制御する処理手順を示すフローチャートである。マイコン４３は、設定スイッチ４４が押下されることによりオフからオンへ変化したか否かを判断する（ステップＳ１１）。設定スイッチ４４が押下されずオンへ変化しない場合は（Ｓ１１：ＮＯ）、設定スイッチ４４の押下を検知するまで待機する。設定スイッチ４４が押下されてオンへ変化した場合は（Ｓ１１：ＹＥＳ）、接点５００，５０１，…，５２３のうち、そのときに短絡している二つの接点を検知し、記憶部４３１に記憶する（ステップＳ１２）。
【００５４】
次に、マイコン４３は、記憶している接点が短絡しているか否かを判断する（ステップＳ１３）。記憶している接点が短絡している場合は（Ｓ１３：ＹＥＳ）、表示部２の傾きが保持されているため、設定スイッチ４４が押下されてオンからオフに変化したか否かを判断する（ステップＳ１４）。記憶している接点が短絡していない場合は（Ｓ１３：ＮＯ）、短絡している接点と記憶している接点との位置関係から正方向又は逆方向にモータ４２の回転を開始させ（ステップＳ１５）、記憶している接点が短絡したか否かを再度判断し（ステップＳ１６）、記憶している接点が短絡しない場合は（Ｓ１６：ＮＯ）、記憶している二つの接点が短絡したことを検知するまでモータ４２を回転させる。モータ４２の回転によって表示部２が回動し記憶している二つの接点が短絡した場合は（Ｓ１６：ＹＥＳ）、モータ４２の回転を停止させ（ステップＳ１７）、設定スイッチ４４が押下されてオンからオフに変化したか否かを判断する（Ｓ１４）。
【００５５】
設定スイッチ４４が押下されずオンからオフに変化しない場合は（Ｓ１４：ＮＯ）、マイコン４３は処理をステップＳ１３へ戻し、記憶している接点が短絡していなければモータ４２を回転させる制御を継続する。設定スイッチ４４が押下されてオンからオフに変化した場合は（Ｓ１４：ＹＥＳ）、表示部２の傾きを検知して表示部２を回動させる処理を終了する。なお、上述の処理途中で、例えばモータ４２が回転中であっても設定スイッチ４４が押下されてオンからオフになった場合はモータ４２に通電がされずに処理は終了される。
【００５６】
以上の構成により、設定スイッチがオンである間は、ユーザが設定スイッチを押下したときに短絡していた接点が記憶され、ユーザがＰＣを保持する膝を組み替えることでＰＣ自体の傾きが変化した場合でも、記憶された接点が常に短絡するように表示部の回動が制御されるため、表示部の水平面からの傾きが設定された傾きとなるように一定に保たれる。従って、ユーザが視線を変えずにＰＣを保持する膝を組み替える又は膝を伸ばす等姿勢を変えた場合であっても、ユーザの視線と表示部との角度が一定に保たれ、ＰＣの表示画面の視認性が改善され、ユーザは姿勢を変える度に表示部の傾きを調整する必要がない。また、設定スイッチをオン・オフする操作により、ユーザは自分の視線に適した角度を自由に設定して表示画面の水平面からの傾きを適した傾きに保つことができる。
【００５７】
本実施の形態では、本発明に係る電子機器としてノート型のＰＣを例に説明したが、電子機器はノート型のＰＣに限らず、携帯電話機、ＰＤＡ端末装置、携帯型ＤＶＤプレーヤー、ＨＤＤ型又はフラッシュメモリ型の携帯デジタル映像プレーヤー、電子辞書、ゲーム機器、モニタ付撮像装置、又は可搬型測定器等の表示部を有する可搬型電子機器に適用するのでもよい。さらには、表示画面を軸支するディスプレイ装置に適用してもよい。
【００５８】
また、ノート型のＰＣのように表示部と本体とを折り畳むことが可能な電子機器に限らず、表示画面を有する表示部を備え、該表示部が連結部を介して本体筐体に対して回動する電子機器に本発明を適用することが可能である。例えば、手で保持して使用するモニタ付撮像装置などの電子機器において、表示部の上部の一辺から延出する連結部が、本体筐体の側面に設けられた凹部に軽く固定されて表示部が連結部を軸として回動することが可能な場合に、前記連結部内に表示部の傾きを検出する機構を設け、本体筐体の凹部にローラ、歯車又は連結部に嵌合する部品等のモータの回転を連結部に伝動することが可能な機構を設けることにより、表示部を設定された傾きとなるように回動させる構成としてもよい。
【００５９】
また、本実施の形態では、検知部での傾きの検知及び表示部の回動を制御するために、マイコンを用いる例を説明したが、これに限らず、検知部からのリード線及びモータをコンピュータを制御するＣＰＵに接続し、前述の回動制御をＣＰＵによって実現してもよい。また、本実施の形態では、設定スイッチを設けて傾きの自動制御のオン・オフの選択及び傾きの設定を行う構成としたが、これに限らず、ＣＰＵが実行するソフトウェアで検知部での接点の短絡の検知及び回動制御の処理を構成し、ユーザがキーボード等の操作部を介してソフトウェア釦等により操作する構成としてもよい。
【００６０】
本実施の形態では、表示部の連結部を回転させるローラをゴム製のものとする構成としたが、これに限らず、ローラを歯車として連結部の外周に該歯車と嵌合する溝を設け、歯車の回転により、表示部を回動させる構成としてもよい。また、モータの回転を表示部の回動に伝動する機構であればローラ又は歯車等に限らない。
【００６１】
本実施の形態では、表示部の水平面からの傾きを、検知部に設けられた２４個の接点により検知する構成としたが、接点の数はこれに限らないことは勿論である。また、接点が金属球によって短絡する箇所を検出することによって検知する構成としたが、これに限らず、回動軸と同軸である円筒状の検知室に、該検知室と同軸の円盤を回動可能に設置して該円盤に錘を設け、錘の箇所が常に最下部に位置することを利用して傾きを検知する構成としてもよい。また、検知室に液体と気泡とを封入し、気泡の位置を電気的に検出して傾きを検知する構成としてもよい。
【図面の簡単な説明】
【００６２】
【図１】本実施の形態におけるＰＣの構成を示す前方斜視図である。
【図２】本実施の形態におけるＰＣの本体と表示部との連結部分について拡大した拡大前方斜視図である。
【図３】本実施の形態におけるＰＣの表示部の傾きを検知し、回動を制御する機構の構成を示す略示上面断面図である。
【図４】本実施の形態におけるＰＣの表示部の傾きを検知し、回動を制御する機構の構成を示す略示側面断面図である。
【図５】表示部を回動させるローラを拡大して示す略示背面斜視図である。
【図６】検知室の接点及び内部に納められた金属球を示す略示拡大断面図である。
【図７】本実施の形態におけるＰＣの検知部及びローラを示す略示側面断面図である。
【図８】本実施の形態におけるＰＣの検知部及びローラを示す略示側面断面図である。
【図９】本実施の形態におけるＰＣの検知部及びローラを示す略示側面断面図である。
【図１０】本実施の形態におけるＰＣの検知部及びローラを示す略示側面断面図である。
【図１１】本実施の形態におけるマイコンが、表示部の傾きを検知して表示部の回動を制御する処理手順を示すフローチャートである。
【符号の説明】
【００６３】
１  本体
１２  支持部
１３ａ，１３ｂ  側面
２  表示部
２２ａ，２２ｂ  連結部
３  検知部
３１  検知室
３２  金属球
４１  ローラ
４２  モータ
４３  マイコン
４４  設定スイッチ
５００，５０１，５０２，…，５２２，５２３  接点
６００，６０１，６０２，…，６２２，６２３  リード線
【図１】
2007317129.tif 000003
【図２】
2007317129.tif 000004
【図３】
2007317129.tif 000005
【図４】
2007317129.tif 000006
【図５】
2007317129.tif 000007
【図６】
2007317129.tif 000008
【図７】
2007317129.tif 000009
【図８】
2007317129.tif 000010
【図９】
2007317129.tif 000011
【図１０】
2007317129.tif 000012
【図１１】
2007317129.tif 000013